(57)【特許請求の範囲】
【請求項１】
記録再生装置の記録媒体に記録される記録画像の検索を行なう記録・再生装置の検索ユニットであり、
前記記録媒体に１対１に対応して設けられ、前記記録媒体の記録領域の絶対位置データに対応するアドレスが設定され、該アドレスに前記絶対位置データに対応する記録画像のスタート地点の有無を示すデータを含む検索データが書込まれるメモリと、
該メモリのアドレスと前記検索データとに基づいて、前記記録媒体からの記録画像のスタート地点データの検索の制御を行なう検索制御手段と、
該検索制御手段の制御により検索される記録画像のスタート地点データの表示を制御する記録画像表示制御手段と
を有することを特徴とする記録・再生装置の検索ユニット。
【請求項２】
記録再生装置の記録媒体に記録される記録画像の検索を行なう記録・再生装置の検索ユニットであり、
前記記録媒体に１対１に対応して設けられ、前記記録媒体の記録領域の絶対位置データに対応するアドレスが設定され、該アドレスに前記絶対位置データに対応する記録画像の検索データが書込まれるメモリと、
該メモリのアドレスと前記検索データとに基づいて、前記記録媒体からの記録画像の検索の制御を行なう検索制御手段と、
該検索制御手段の制御により検索される記録画像の表示を制御する記録画像表示制御手段と、
前記アドレスと前記検索データとに基づき抽出される記録画像の全枚数データ、現在の絶対位置から正方向及び逆方向の画像枚数データを含む参考データの表示を制御する参考データ表示制御手段と
を有することを特徴とする記録・再生装置の検索ユニット。
【発明の詳細な説明】
【０００１】
【発明の属する技術分野】
本発明は、記録・再生装置の記録画像を検索する検索ユニットに関する。
【０００２】
【従来の技術】
従来の記録・再生装置の記録画像の検索に際しては、記録媒体をテープとする場合には、テープ上の記録画像の記録の有無に関係なく、検索走査機構を起動して、テープの現在地のサブコードを参照しながら記録画像を検索する。この従来の記録画像の検索では、検索に際して現在位置よりトップ側或いはエンド側に、記録画像が記録されているか否かの情報は全く把握できず、検索走査機構を一旦起動させると、記録画像が記録されていないテープでも、テープトップまたはテープエンド位置までテープの検索走査が継続される。
このように、従来の検索では、検索対象のテープに記録画像が記録されているか否かの確認をしないで、記録画像の検索を行なうので、無駄な検索をすることがあり、効率的な検索を行なうことはできなかった。
【０００３】
【発明が解決しようとする課題】
この問題を解決するために、図７に示すように、テープカートリッジ１Ａ内に、テープ６、巻取リール３、送出リール５と共に、メモリ７Ａが収納され、このメモリ７Ａの格納情報を使用して記録画像の検索を行なう記録・再生装置が提案されている。
しかし、提案に係る記録・再生装置では、メモリ７Ａには、記録時間順に記録された記録画像のアドレスデータが記憶されているので、アドレスデータとテープの記録位置とは必ずしも一致しない。従ってこの場合に、記録画像の検索を行なおうとすると、メモリの記録画像をテープ位置順にソートする必要があり、処理時間的に問題が生じる。
【０００４】
本発明は、前述したような記録・再生装置の記録画像の検索の現状に鑑みてなされたものであり、その目的は、メモリのアドレスから記録媒体の記録画像の絶対位置に対応する検索データを読取り、記録画像の検索を迅速且つ適確に行なうことが可能な記録・再生装置の検索ユニットを提供することにある。
【０００５】
【課題を解決するための手段】
前記目的を達成するために、請求項１記載の発明は、記録再生装置の記録媒体に記録される記録画像の検索を行なう記録・再生装置の検索ユニットであり、前記記録媒体に１対１に対応して設けられ、前記記録媒体の記録領域の絶対位置データに対応するアドレスが設定され、該アドレスに前記絶対位置データに対応する記録画像のスタート地点の有無を示すデータを含む検索データが書込まれるメモリと、該メモリのアドレスと前記検索データとに基づいて、前記記録媒体からの記録画像のスタート地点データの検索の制御を行なう検索制御手段と、該検索制御手段の制御により検索される記録画像のスタート地点データの表示を制御する記録画像表示制御手段とを有することを特徴とするものである。
【０００６】
同様に前記目的を達成するために、請求項２記載の発明は、記録再生装置の記録媒体に記録される記録画像の検索を行なう記録・再生装置の検索ユニットであり、前記記録媒体に１対１に対応して設けられ、前記記録媒体の記録領域の絶対位置データに対応するアドレスが設定され、該アドレスに前記絶対位置データに対応する記録画像の検索データが書込まれるメモリと、該メモリのアドレスと前記検索データとに基づいて、前記記録媒体からの記録画像の検索の制御を行なう検索制御手段と、該検索制御手段の制御により検索される記録画像の表示を制御する記録画像表示制御手段と、前記アドレスと前記検索データとに基づき抽出される記録画像の全枚数データ、現在の絶対位置から正方向及び逆方向の画像枚数データを含む参考データの表示を制御する参考データ表示制御手段とを有することを特徴とするものである。
【０００７】
【発明の実施の形態】
［第１の実施の形態］
本発明の第１の実施の形態を、図１ないし図５を参照して説明する。
図１は本実施の形態の構成を示す説明図、図２は本実施の形態のテープの記憶領域とメモリのアドレスとの関係を示す説明図、図３は本実施の形態のメモリへのデータ書込の一例を示す説明図、図４は本実施の形態のメモリへのデータ書込動作を示すフローチャート、図５は本実施の形態の検索動作を示すフローチャートである。
【０００８】
本実施の形態では、図１に示すように、テープカートリッジ１内に、ドラム２、ドラム２に巻き掛けられた記録媒体としてのテープ６、テープ６の巻取リール３及びテープ６の送出リール５が設けられ、さらに、ドラム２には、テープの記録時間分のアドレスが確保されたメモリ７が取り付けられている。
このメモリ７には、テープ６の記録領域の絶対位置を示すカウンタ値などの絶対位置データに対応するアドレスが設定され、設定されたアドレスに記録画像が記録されているか否か、記録されている場合には、アドレスのどの部分から記録されているかのデータの記録が行なわれるようになっている。
【０００９】
即ち、図２に示すように、テープ６には、トップ側からエンド側に、等間隔で絶対位置を示すブロック１、ブロック２・・・が設けられ、これらのブロック１、ブロック２・・・に対応してメモリ７には、アドレス００、アドレス０１・・・が割り当てられる。
そして、アドレス００、アドレス０１・・に画像記録のデータが書込まれるが、その一例を示すと、図３に示すように、テープ６は、トップ側からエンド側に、テープカウンタ値を基にして、５秒ごとにブロックＢ１、Ｂ２、Ｂ３・・が形成され、一つのブロックに４ｂｉｔが割り当てられる。
データとしては、記録画像がブロックの中の何秒目から記録されているかが書込まれ、ブロック内に記録画像のスタート地点がない時には、１１１１＝Ｆが書き込まれる。この場合、記録画像の記録時間は一定なので、スタート地点が定まると、記録画像がどこからどこまで記録されているかは把握される。
【００１０】
図３では、テープカウンタ値０〜５秒のブロックＢ１と、テープカウンタ値５秒〜１０秒のブロックＢ２とに、メモリ７のアドレス０が割り当てられ、テープカウンタ値１０秒〜１５秒のブロックＢ３と、テープカウンタ値１５秒〜２０秒のブロックＢ４とにメモリ７のアドレス１が割り当てられ、以下同様にして、テープ６のブロックとメモリ７のアドレスとの対応付けが行なわれている。
この場合、ブロックＢ１に対応するメモリ７のアドレス０の下位側ビットｂ１には、記録画像のスタート地点はないので、１１１１＝Ｆが書き込まれ、アドレス０の上位側ビットｂ２にも、記録画像のスタート地点はないので、１１１１＝Ｆが書込まれている。
また、ブロックＢ３に対応するメモリ７のアドレス１の下位側ビットｂ３に、記録画像のスタート地点があるので、何秒目から記録されているかのデータが書込まれ、ブロックＢ４に対応するメモリ７のアドレス１の上位側ビットｂ４には、記録画像のスタート地点はないので、１１１１＝Ｆが書込まれている。
【００１１】
本実施の形態においては、図１には図示していないが、メモリ７から読み出すアドレスデータ、記録画像スタート地点の有無データ及びスタート地点データに基づいて、テープの絶対位置データと、各種の検索データとを抽出し、得られた絶対位置データと検索データにより、テープ７からの記録画像の検索を制御する検索制御手段手段と、検索制御手段の制御により検索された記録画像の表示を制御する記録画像表示制御手段とが設けられている。
【００１２】
このような構成の本実施の形態の動作を説明する。
先ず、テープへの記録画像の記録に際して行なわれるメモリへのデータの書込動作を、図４のフローチャートを参照して説明する。
【００１３】
図４のフローチャートのステップＳ１において、テープ６への記録開始時に、現在の記録が画像記録であるか否かの判定が行なわれ、画像記録であると判定されると、ステップＳ２に進んで、スタート地点のデータが、記録動作時のデータが格納されるＲＡＭに格納され、ステップＳ３に進んで、テープ６の現在の記録位置に記録画像が存在するか否かが、メモリ７により検索されて、記録画像が上書きされたか否かの判定が行なわれる。
【００１４】
ステップＳ３で、記録画像が上書きされたと判定されると、ステップＳ４に進んで、テープ６の現在地に対応するメモリ７のアドレスのデータが、クリアされてデータの初期化が行なわれ、ステップＳ５に進んで、テープ６への画像記録が終了したか否かが判定される。
ステップＳ５で、画像記録が終了したと判定されると、ステップＳ６に進んで、終了した記録が画像記録であったか否かの判定が行なわれ、画像記録であったと判定されると、ステップＳ７に進んで、ステップＳ２でＲＡＭに格納されていたスタート地点のデータが、テープ６の絶対位置に対応するメモリ７のアドレスに書込まれる。
【００１５】
次に、本実施の形態の記録画像の検索動作を、図５のフローチャートを参照して説明する。
【００１６】
図５のフローチャートのステップＳ１１において、ユーザは、正転キー或いは逆転キーを操作してテープ６の走行方向の選択を行い、正転キーが操作されると、ステップＳ１２に進んで、駆動機構によりテープ６の正転方向への走行が開始され、ステップＳ１４に進んで、メモリ６に対して、現在のテープ６の位置に対応するアドレスから正転方向に検索が行なわれ、一番近い位置にある記録画像の検出が行なわれ、ステップＳ１５に進んで、テープ７の走行が端部に達したか否かが判定され、端部に達したと判定されると処理を終了する。
【００１７】
ステップＳ１５で、テープ６の走行が端部に達していないと判定されると、ステップＳ１６に進んで、現在のテープ６の位置が記録画像上であるか否かが判定され、現在位置が記録画像であると判定されると、ステップＳ１７に進んで、再生一時停止（ＰＢＰ）状態に遷移し、検索された記録画像が、モニタに一定時間表示され、一定時間経過後に、次の記録画像の検索のために、ステップＳ１８に進んで、駆動機構によるテープ６の正転方向への走行が再開される。
【００１８】
一方、ステップＳ１１で、逆転キーが操作されると、ステップＳ１３に進んで、駆動機構によりテープ６の逆転方向への走行が開始され、ステップＳ１４に進んで、メモリ６に対して、現在のテープ６の位置に対応するアドレスから逆転方向の検索が行なわれ、一番近い位置にある記録画像の検出が行なわれる。
ステップＳ１４からステップＳ１７までの動作は、すでに説明した正転時の動作と同一であり、ステップＳ１７からステップＳ１８に進んで、駆動機構によるテープ６の逆転方向への走行が再開される。
【００１９】
このようにして、本実施の形態によると、テープ６に１対１に配置されるメモリ７に、テープ６の絶対位置に対応するアドレスが割り当てられ、このアドレスに、テープ６の記録画像の記録有無のデータと、記録開始位置データとが書込まれ、記録画像の検索時には、メモリ７の記録有無のデータと、記録開始位置データとに基づいて、テープ６の走行方向での記録画像位置が、迅速且つ適確に検索され、検索された記録画像が一定時間モニタに表示されるので、ユーザはモニタで記録画像を確認しながら、テープ６に記録された記録画像の検索を、高精度で効率的に行なうことが可能になる。
【００２０】
［第２の実施の形態］
本発明の第２の実施の形態を、図６を参照して説明する。
図６は本実施の形態の検索動作を示すフローチャートである。
【００２１】
本実施の形態では、すでに説明した第１の実施の形態に対して、メモリ７に記録される検索データから抽出される記録画像の全枚数データ、現在の絶対位置から正方向及び逆方向の画像枚数データを含む参考データの表示を制御する参考データ表示制御手段が新に設けられている。
本実施の形態のその他の部分の構成は、すでに説明した第１の実施の形態と同一なので、重複する説明は行なわない。
【００２２】
本実施の形態の検索動作を、図６のフローチャートを参照して説明する。
【００２３】
図６のステップＳ２１において、ユーザは、正転キー或いは逆転キーを操作してテープ６の走行方向の選択を行い、正転キーが操作されると、ステップＳ２２に進んで、メモリ７の全領域が検索されて、記録画像の総枚数が検出され、正転方向で一番近い記録画像が検出される。次いで、メモリ７の検索が終了すると、ステップＳ２４に進んで、テープ６に記録されている記録画像の総数がモニタに表示され、ステップＳ２６に進んで、メモリ７の検索により、正転方向に記録画像が存在するか否かが判定され、正転方向に記録画像が存在しないと判定されると処理が終了される。
【００２４】
一方、ステップＳ２６で正転方向に記録画像が存在すると判定されると、ステップＳ２８に進んで、駆動機構によりテープ６の正転方向への走行が開始され、ステップＳ３０に進んで、現在位置に記録画像が存在するか否かが判定され、現在位置に記録画像が存在すると判定されると、ステップＳ３１に進んで、検索された記録画像がモニタに一定時間表示される。
【００２５】
一定時間の表示後に、次の記録画像の検索のために、ステップＳ３２に進んで、駆動機構によるテープ６の正転方向への走行が再開され、ステップＳ３３で、メモリ７の検索により、正転方向に記録画像が存在するか否かが判定され、正転方向に記録画像が存在しないと判定されると処理が終了され、正転方向に記録画像が存在すると判定されると、ステップＳ３４に進んで、駆動機構によりテープ６の正転方向への走行が再開される。
【００２６】
一方、ステップＳ２１で、逆転キーが操作されると、ステップＳ２３に進んで、メモリ７の全領域が検索されて、記録画像の総枚数が検出され、逆転方向で一番近い記録画像が検出される。次いで、メモリ７の検索が終了すると、ステップＳ２５に進んで、テープ６に記録されている記録画像の総数がモニタに表示され、ステップＳ２７に進んで、メモリ７の検索により、逆転方向に記録画像が存在するか否かが判定され、逆転方向に記録画像が存在しないと判定されると処理が終了される。
【００２７】
一方、ステップＳ２７で逆転方向に記録画像が存在すると判定されると、ステップＳ２９に進んで、駆動機構によりテープ６の逆転方向への走行が開始され、ステップＳ３０に進み、ステップＳ３０及びステップＳ３１では、すでに説明した正転時と同一の動作が行なわれ、ステップＳ３１での一定時間の記録画像の表示後に、次の記録画像の検索のために、ステップＳ３２に進んで、駆動機構によるテープ６の逆転方向への走行が再開され、ステップＳ３３で、メモリ７の検索により、逆転方向に記録画像が存在するか否かが判定され、逆転方向に記録画像が存在しないと判定されると処理が終了され、逆転方向に記録画像が存在すると判定されると、ステップＳ３４に進んで、駆動機構によりテープ６の逆転方向への走行が再開される。
【００２８】
このように、本実施の形態によると、第１の実施の形態で得られる効果に加えて、メモリ７の検索によりテープ６に記録されている記録画像の総枚数が、モニタに表示されるので、ユーザは、テープ６に記録画像が存在しない場合の無駄な検索を避けることができると共に、テープ６に記録されている記録画像の総数を把握しながら、記録画像の検索を行なうことが可能になる。
【００２９】
【発明の効果】
請求項１記載の発明によると、記録媒体の記録領域の絶対位置データに対応して設定されるアドレスに、絶対位置データに対応する記録画像の検索データが書込まれるメモリが、記録媒体に１対１に対応して設けられており、検索制御手段によって、メモリのアドレスと検索データとに基づいて、記録媒体からの記録画像の検索の制御が行なわれ、記録画像表示手段によって、検索制御手段の制御により検索される記録画像の表示が制御されるので、記録媒体の画像記録位置を迅速且つ適確に走査して、記録画像をモニタに表示しながら、記録再生装置の記録媒体に記録される記録画像の効率的な検索を行なうことが可能になる。
【００３０】
請求項２記載の発明によると、請求項１記載の発明で得られる効果に加えて、参考データ表示手段により、アドレスと検索データとから抽出される記録画像の全枚数データ、現在の絶対位置から正方向及び逆方向の画像枚数データなどの参考データのモニタへの表示が制御されるので、ユーザは、これらの参考データをモニタに表示しながら、記録再生装置の記録媒体に記録される記録画像のより効率的な検索を行なうことが可能になる。
【図面の簡単な説明】
【図１】本発明の第１の実施の形態の構成を示す説明図である。
【図２】同実施の形態のテープの記憶領域とメモリのアドレスとの関係を示す説明図である。
【図３】同実施の形態のメモリへのデータ書込の一例を示す説明図である。
【図４】同実施の形態のメモリへのデータ書込動作を示すフローチャートである。
【図５】同実施の形態の検索動作を示すフローチャートである。
【図６】本発明の第２の実施の形態の検索動作を示すフローチャートである。
【図７】従来の記録・再生装置の構成を示す説明図である。
【符号の説明】
１…テープカートリッジ、２…ドラム、３…巻取リール、５…送出リール、６…テープ、７…メモリ。
【図１】
0003800809.tif 000002
【図２】
0003800809.tif 000003
【図３】
0003800809.tif 000004
【図４】
0003800809.tif 000005
【図５】
0003800809.tif 000006
【図６】
0003800809.tif 000007
【図７】
0003800809.tif 000008